(57)【要約】      （修正有）【課題】ティーバッグを使って茶を淹れ飲む際に、カップにティーバッグを入れたままでもティーバッグが邪魔になることのないカップ用仕切り板を提供する。【解決手段】逆円錐台形状のカップ１に挿入して、カップ内部を左右の２室に分割する仕切り板であって、貫通孔もしくは切りかきが設けてあり、カップ中央の縦断面に比べて幅が大きい部分を有することを特徴とするカップ用仕切り板２である。またカップ中央の縦断面に比べて幅が大きい部分は、カップ中央の縦断面に比べて１．０倍より大きく１．５倍以下であることを特徴とする請求項１に記載のカップ用仕切り板である。【選択図】図１
2016002351.tif 000002
【特許請求の範囲】
【請求項１】
逆円錐台形状のカップに挿入して、カップ内部を左右の２室に分割する仕切り板であって、貫通孔もしくは切りかきが設けてあり、カップ中央の縦断面に比べて幅が大きい部分を有することを特徴とするカップ用仕切り板。
【請求項２】
カップ中央の縦断面に比べて幅が大きい部分は、カップ中央の縦断面に比べて１．０倍より大きく１．５倍以下であることを特徴とする請求項１に記載のカップ用仕切り板。
【請求項３】
カップ中央の縦断面に比べて幅が大きい部分は、仕切り板側辺の一部あるいは全部であることを特徴とする請求項１または２のいずれかに記載のカップ用仕切り板。
【請求項４】
紙カップ原紙もしくは紙カップ原紙を含む積層体で構成されていることを特徴とする請求項１〜３のいずれかに記載のカップ用仕切り板。
【発明の詳細な説明】
【技術分野】
【０００１】
本発明は、紅茶や緑茶などのティーバッグを入れたカップ用仕切り板に関するものである。
【背景技術】
【０００２】
従来より紅茶や緑茶の茶葉を入れた、所謂ティーバッグを用いて茶を淹れて飲む習慣は日常生活において洋の東西を問わず定着している。ティーバッグは茶を飲む際には簡便である半面、カップに入れたままで飲もうとする場合には、ティーバッグが茶の中に浮遊して邪魔になるという欠点があった。またティーバッグを取り出して飲もうとすると湯をたっぷり含んだティーバッグの置き場に困ることがあった。
【０００３】
また、昨今の環境問題への意識の高まりから廃棄物についても一層の配慮が求められるようになっている。
【先行技術文献】
【特許文献】
【０００４】
【特許文献１】公開実用新案昭６３−１３５８６７号公報
【発明の概要】
【発明が解決しようとする課題】
【０００５】
本発明はこのような事情に鑑み、ティーバッグを使って茶を淹れて飲む際に、カップにティーバッグを入れたままでもティーバッグが邪魔になることのないカップ用仕切り板をより環境に配慮した材料を用いて提案することを課題とする。
【課題を解決するための手段】
【０００６】
上記の課題を解決するための手段として、請求項１に記載の発明は、逆円錐台形状のカップに挿入して、カップ内部を左右の２室に分割する仕切り板であって、貫通孔もしくは切りかきが設けてあり、カップ中央の縦断面に比べて幅が大きい部分を有することを特徴とするカップ用仕切り板である。
【０００７】
また、請求項２に記載の発明は、カップ中央の縦断面に比べて幅が大きい部分は、カップ中央の縦断面に比べて１．０倍より大きく１．５倍以下であることを特徴とする請求項１に記載のカップ用仕切り板である。
【０００８】
また、請求項３に記載の発明は、カップ中央の縦断面に比べて幅が大きい部分は、仕切り板側辺の一部あるいは全部であることを特徴とする請求項１または２のいずれかに記載のカップ用仕切り板である。
【０００９】
また、請求項４に記載の発明は、紙カップ原紙もしくは紙カップ原紙を含む積層体で構成されていることを特徴とする請求項１〜３のいずれかに記載のカップ用仕切り板である。
【発明の効果】
【００１０】
請求項１に記載の発明によれば、ティーバッグを使って茶を淹れて飲む際に、カップにティーバッグを入れたままでも仕切り板があるために、ティーバッグが浮遊することなく茶を淹れることができ、茶を飲む際にもティーバッグが邪魔になることのないカップ用仕切り板を実現することができる。
【００１１】
請求項２に記載の発明によれば、カップ用仕切り板がより適切にカップ内に固定されティーバッグが浮遊することがなく、茶を飲む際にもティーバッグが邪魔になることのないカップ用仕切り板を実現することができる。
【００１２】
請求項３に記載の発明によれば、カップ用仕切り板が適切にカップ内に固定されティーバッグが浮遊することがなく、茶を飲む際にもティーバッグが邪魔になることのないカップ用仕切り板を実現することができる。
【００１３】
請求項４に記載の発明によれば、カップ用仕切り板に湯が滲みたり、湯によって軟化するなどの強度低下がなく、カップ用仕切り板がより適切にカップ内に固定され、ティーバッグが浮遊することがなく、茶を飲む際にもティーバッグが邪魔になることのないカップ用仕切り板を実現することができる。さらに紙を基材としているために、使用した後においてリサイクル可能で焼却も可能であることからより環境適合型のカップ用仕切り板を実現することができる。
【図面の簡単な説明】
【００１４】
【図１】図１は本発明によるカップ用仕切り板をカップに装着した一例の模式図である。
【図２】図２は本発明によるカップ用仕切り板の一例を平面図で表したものである。
【図３】図３は本発明によるカップ用仕切り板の他の一例を平面図で示したものである。
【発明を実施するための形態】
【００１５】
以下に本発明を実施するための形態を、図１〜３を用いて詳細に説明する。図１は本発明によるカップ用仕切り板をカップに装着した一例の模式図である。
【００１６】
カップ（１）にはカップ用仕切り板（２）が装着してあり、カップ内部は比較的小さいＡ室（３）と比較的大きいＢ室（４）に分割される。
【００１７】
このときカップのサイズはカップ中央の縦断面が上端部のカップ内径（５）、下端部のカップ内径（６）で表され、カップ内面高さ（７）によってカップの深さが表される。
【００１８】
図２は本発明によるカップ用仕切り板（２）の一例を平面図で表したものである。ここでカップ用仕切り板（２）は、カップ用仕切り板（２）の幅として、仕切り板上底（１０）、仕切り板下底（１１）で表され、仕切り板高さは（８）で表される。
【００１９】
本発明のカップ用仕切り板（２）は、カップ中央の縦断面に比べて幅が大きい部分を有するものである。われわれは、鋭意検討を重ねた結果、安定してカップを２室に仕切るためには、カップ中央の縦断面に比べて幅が大きい部分は、カップ中央の縦断面に比べて１．０倍より大きく１．５倍以下であることが望ましいことを発見した。さらに望ましくは、カップ中央の縦断面に比べて幅が大きい部分が仕切り板上底（１０）であり、この仕切り板上底（１０）の幅が上端部のカップ内径（５）に比べて１．０倍より大きく１．５倍以下であるか、あるいは、カップ中央の縦断面に比べて幅が大きい部分が仕切り板下底（１１）であり、この仕切り板下底（１１）の幅が下端部のカップ内径（６）に比べて１．０倍より大きく１．５倍以下である。
【００２０】
これによってカップ用仕切り板（２）がカップ内で湾曲し、安定してカップ用仕切り板（２）をカップ内に固定することができる。また安定してカップ内を２室に仕切り固定するためにはカップ用仕切り板（２）の幅が側辺の少なくとも一部において前記の比率にな
っていればよく、側辺全部がこの比率の範囲に入っているのでもかまわない。
【００２１】
内面高さはカップにおいてはカップ内面高さ（７）であり、カップ用仕切り板（２）においては仕切り板高さ（８）として表されるが、仕切り板高さ（８）はカップ内面高さ（７）に等しい高さでもよく、ティーバッグの浮遊を阻止できる範囲であれば、カップ内面高さ（７）より若干低くてもかまわない。
【００２２】
カップ用仕切り板（２）が湾曲した状態でカップ内に固定されることによってカップは比較的小さいＡ室（３）と比較的大きいＢ室（４）に分割されるが、ティーバッグで茶を淹れる際には、ティーバッグは比較的小さいＡ室（３）に入れられる。湯を入れて茶を淹れたのち、茶を比較的大きいＢ室（４）のほうから飲むことによって、ティーバッグが浮遊して邪魔になるという問題を解決することができる
これは、カップにオーバーキャップをかぶせて使う場合も同様で、茶を淹れてのちカップを傾けて飲用に供する際に、カップ用仕切り板（２）がティーバッグの浮遊を阻止することによって、浮遊するティーバッグがオーバーキャップの飲み口をふさいでしまうことを防ぐことができる。
【００２３】
カップ用仕切り板（２）を用いてカップで茶を淹れる際には。カップ用仕切り板（２）を装着してからティーバッグを入れ湯を注ぐのでもよく、湯を入れてからカップ用仕切り板（２）を装着するのでもよく、カップ用仕切り板、ティーバッグ、湯の順は問わない。そのほかティーバッグをあらかじめカップ用仕切り板（２）に取り付けておくのでもかまわない。
【００２４】
カップ用仕切り板（２）には切りかき（１２）が設けてあり、カップをＡ室（３）およびＢ室（４）とに仕切った後でも、切りかき（１２）を開口部として湯の行き来ができ、ティーバッグから抽出された茶の成分がカップ全体に行き渡ることを容易にすることができる。また切りかき（１２）とカップ底部との間にティーバッグを挟んで固定しても良い。
【００２５】
切りかき（１２）はＡ室（３）およびＢ室（４）との間において開口部になっていればよくティーバッグよりも小さい大きさであれば形状は問わない。また場所もカップ用仕切り板の底部もしくは側辺部であればその位置は問わない。開口部がティーバッグより大きい場合にはティーバッグがその開口部を通ってＡ室（３）からＢ室（４）に移動してしまう可能性があるため不具合である。
【００２６】
図３は本発明によるカップ用仕切り板（２）の他の一例を平面図で示したものである。開口部としてカップ用仕切り板（２）に貫通孔（１３）をあけるのでもかまわない。貫通孔（１３）はティーバッグよりも小さい大きさで、開口部として湯の行き来ができ、ティーバッグから抽出された茶の成分がカップ全体に行き渡ることを容易にすることができれば、その形状や位置は任意である。
【００２７】
カップ用仕切り板（２）に、切りかき（１２）や貫通孔（１３）を設けるほか、ティーバッグのより確実な浮遊防止を目的として、ティーバッグに付けられた紐を挟み込んで固定する切れ込み（１６）を設けることもできる。
【００２８】
ティーバッグの浮き上がりや浮遊を防止し、固定するためのタブ（１４）をカップ用仕切り板（２）の上辺などに設けてもよい。この場合タブ（１４）は、折り曲げ線（１５）によってＡ室（３）側に折り曲げて使用し、ティーバッグの浮き上がりや浮遊防止をより確実にする。
【００２９】
カップ用仕切り板（２）の材質は、湯が滲みこんだり耐水性のない材質は用いることができないが、ティーバッグの浮遊を抑えまた飲み物への味や香り、衛生上問題のないものであれば特に制限はない。両面を樹脂で覆った積層体は耐水性に優れ好ましい。特にポリエチレン樹脂は他の樹脂に比べて安価であるためより好ましく用いられる。
【００３０】
たとえば紙を材料とした場合には、廃棄においても紙としてリサイクルもしくは焼却できるため環境負荷が少ない。紙カップに適用した際には廃棄に際して分別などの問題がなく、この場合にはカップ用仕切り板（２）の材料として紙カップ原紙を用いることがより好ましい。
【００３１】
カップは、紙カップを用いることもできるが、紙以外のカップに対しても本発明によるカップ用仕切り板（２）を適用することができる。さらにはディスポーザブル以外のカップに対しても、本発明によるカップ用仕切り板（２）を適用することができ、この場合には使用後にカップ用仕切り板（２）のみを廃棄すればよい。
【実施例】
【００３２】
カップには紙カップを用い、サイズは以下の通りである。
フランジ径：７１ｍｍ
カップ内径Ａ：６２ｍｍ
カップ内径Ｂ：４６ｍｍ
カップ内面高さ：１００ｍｍ。
【００３３】
＜実施例１＞
カップ用仕切り板のサンプルの構成は以下の通りである。
（１）カップ用仕切り板寸法
仕切り板上底：７５ｍｍ
仕切り板下底：４２ｍｍ
仕切り板高さ：１００ｍｍ
仕切り板下底には切りかきを設けてある。
（２）カップ用仕切り板材料構成
紙カップ原紙：王子エフテックス社製（坪量２６０ｇ）を用いた。
【００３４】
＜実施例２＞
カップ用仕切り板のサンプルの構成は以下の通りである。
（１）カップ用仕切り板寸法
仕切り板上底：６０ｍｍ
仕切り板下底：５０ｍｍ
仕切り板高さ：９０ｍｍ
仕切り板下底には切りかきを設けてある。
（２）カップ用仕切り板材料構成
紙カップ原紙：王子エフテックス社製（坪量３２０ｇ）を用いた。
【００３５】
＜実施例３＞
カップ用仕切り板のサンプルの構成は以下の通りである。
（１）カップ用仕切り板寸法
仕切り板上底：９３ｍｍ
仕切り板下底：６９ｍｍ
仕切り板高さ：８０ｍｍ
仕切り板下底には切りかきを設けてある。
（２）カップ用仕切り板材料構成
紙カップ原紙：王子エフテックス社製（坪量１８０ｇ）を用いた。
【００３６】
＜実施例４＞
カップ用仕切り板のサンプルの構成は以下の通りである。
（１）カップ用仕切り板寸法
仕切り板上底：６８ｍｍ
仕切り板下底：５１ｍｍ
仕切り板高さ：１００ｍｍ
仕切り板下底には切りかきを設けてある。
（２）カップ用仕切り板材料構成
ポリエチレン（２０μｍ）／紙カップ原紙（王子エフテックス社製、坪量２６０ｇ）／ポリエチレン（２０μｍ）。
【００３７】
＜比較例１＞
カップ用仕切り板のサンプルの構成は以下の通りである。
（１）カップ用仕切り板寸法
仕切り板上底：６０ｍｍ
仕切り板下底：４２ｍｍ
仕切り板高さ：１００ｍｍ
仕切り板下底には切りかきを設けてある。
（２）カップ用仕切り板材料構成
ポリエチレン（２０μｍ）／紙カップ原紙（王子エフテックス社製、坪量２６０ｇ）／ポリエチレン（２０μｍ）。
【００３８】
＜評価方法＞
実施例１〜実施例４および比較例１で作成したカップ用仕切り板のサンプルを、紙カップに装填しティーバッグを入れ、湯を注いで使い勝手を評価した。評価結果○は使い勝手に問題がなかったことを表す。評価結果を表１に示す。
【００３９】
【表１】
2016002351.tif 000003
表中の単位はいずれもｍｍである。
【００４０】
＜評価結果＞
（１）比較例１においては、カップ内寸に比較して、仕切り板上底、仕切り板下底ともに小さいためにカップ用仕切り板がカップ内で動いてしまい、使い勝手は悪かった。
【００４１】
（２）カップ内寸に比べて仕切り板上底のみ小さい場合（実施例２）、仕切り板下底のみ小さい場合（実施例１）においては、どちらか一方が固定されているために使い勝手は問題がなかった。
【００４２】
（３）カップ内寸に比べて、仕切り板上底および仕切り板下底ともに大きい場合には使い勝手は問題がなかった。
【００４３】
（４）カップ用仕切り板としての材質は、紙カップ原紙を用いたもの（実施例１〜実施例３）と、紙カップ原紙の両面をポリエチレン樹脂で保護した材料（実施例４）を用いて比較したが、差異は見られなかった。
【００４４】
（５）仕切り板高さについては、１００ｍｍ（実施例１、実施例４）、９０ｍｍ（実施例２）、８０ｍｍ（実施例３）の間で差異は見られなかった。
【００４５】
これらの評価結果から、本発明によって、ティーバッグを使って茶を淹れて飲む際に、カップにティーバッグを入れたままでも、ティーバッグが浮き上がったり浮遊して茶を飲む邪魔になることのない、カップ用仕切り板を提案することが可能であることを検証することができた。また紙を主体とした材料構成であるため、より環境適合型のカップ用仕切り板を実現することができた。
【符号の説明】
【００４６】
１・・・カップ
２・・・カップ用仕切り板
３・・・Ａ室
４・・・Ｂ室
５・・・上端部のカップ内径
６・・・下端部のカップ内径
７・・・カップ内面高さ
８・・・仕切り板高さ
１０・・・仕切り板上底
１１・・・仕切り板下底
１２・・・切りかき
１３・・・貫通孔
１４・・・タブ
１５・・・折り曲げ線
１６・・・切れ込み
【図１】
2016002351.tif 000004
【図２】
2016002351.tif 000005
【図３】
2016002351.tif 000006